(57)【要約】【課題】時計の自動調整を正確に行うことができるＲＤＳ受信装置を提供することを目的とするものである。【解決手段】第一のチューナ２０が受信した信号に含まれるＲＤＳデータを第一のＲＤＳデコーダ５０が復調し、復調されたＲＤＳデータに基づいて時計部６１が時計の調整を行なうラジオ受信機１００において、受信制御部６０が、受信したＲＤＳデータの中にＣＴデータを検出し、かつ、受信したＲＤＳデータの中に現在走行している国のＰＩコードが含まれると判定した場合に、検出したＣＴデータに基づいて時計の調整を行う。【選択図】図１
2012205162.tif 000002
【特許請求の範囲】
【請求項１】
アンテナを介してＲＤＳデータが重畳された放送信号を受信して受信信号の中から希望の放送局を選局して受信した音声信号を出力するチューナと、前記チューナが受信した信号に含まれるＲＤＳデータを復調するＲＤＳデコーダと、前記ＲＤＳデコーダが復調したＲＤＳデータに基づいて時計の調整を行う計時部と、前記経時部が行う時計の調整を制御する制御部とを備え、
前記制御部は、受信したＲＤＳデータの中にＣＴデータを検出し、前記受信したＲＤＳデータの中に現在走行している国のＰＩコードが含まれると判定した場合、検出したＣＴデータに基づいて時計の調整を行うことを特徴とするＲＤＳ受信装置。
【請求項２】
前記制御部は、前記チューナが受信した放送が行われている国の情報を表すＰＩコードと前記チューナが受信した放送局と該放送局の信号の電界値と前回ＰＩコードを受信してからの経過時間を示すタイマ値とを格納するメモリ部を備え、該メモリ部に記憶された電界値とタイマ値に応じた評価値に基づいて、前記受信したＲＤＳデータの中に現在自装置が存在している国のＰＩコードが含まれると判定することを特徴とする請求項１記載のＲＤＳ受信装置。
【発明の詳細な説明】
【技術分野】
【０００１】
本発明は、放送信号および放送信号に多重化されたデータを受信してユーザに視聴させることが可能なＲＤＳ受信装置に関する。
【背景技術】
【０００２】
ＦＭラジオ放送信号にクロックタイム（Ｃｌｏｃｋ  Ｔｉｍｅ：以下、略語ＣＴを用いる）データを含むＲＤＳデータを重畳させ、この放送を受信してＣＴデータに基づいて時計の自動調整を可能にしたＲＤＳ受信装置機が、ヨーロッパで普及している。このＣＴデータは１分毎に１回送信されているので、このＣＴデータを利用することにより時計を自動調整することができる。
【０００３】
また、ＲＤＳ受信装置は、ＲＤＳデータに含まれる、放送が行われている国や地域情報等を表すＰｒｏｇｒａｍ  Ｉｄｅｎｔｉｆｉｃａｔｉｏｎ（以下、略語ＰＩを用いる）コードを利用することができる。
【０００４】
従来のＲＤＳ受信機として、５７ｋＨｚバンドパスフィルターとデコーダーからなるＲＤＳ受信回路と時計を組み合わせ、また、国情報を持つＰＩコードを利用して、国境付近を車が走行した場合でも、希望する国の時間を表示することができるものが知られている（例えば特許文献１参照）。
【０００５】
さらに、表示切替手段の操作時間に応じてマニュアル調整モードと自動調整モードとを選択可能にし、マニュアル調整モードを選択したときはマニュアルで時・分調整可能にすると共に、自動調整モードを選択したときは放送信号のＣＴデータに基づいて時計の自動調整を可能にすることによって、状況に応じてユーザの希望に沿うような時計の調整を行うことができるものが知られている（例えば特許文献２参照）。
【先行技術文献】
【特許文献】
【０００６】
【特許文献１】特開平８−２９８４７０号公報
【特許文献２】特開平６−２４４７５２号公報
【発明の概要】
【発明が解決しようとする課題】
【０００７】
しかしながら、従来のＣＴデータに基づいた時計の自動調整においては、走行している国をユーザが手動で受信機に設定しなければならず、国境を跨ぐ度に再設定することになるので、操作が煩雑になるという問題があった。
【０００８】
本発明は、従来の問題を解決するためになされたもので、現在走行している国の設定をユーザの手動で行うのではなく、受信機側が自動的に判断して設定を行うことで、ユーザの操作無しに時計の自動調整を正確に行うことができるＲＤＳ受信装置を提供することを目的とする。
【課題を解決するための手段】
【０００９】
上記目的を達成するために本発明は、アンテナを介してＲＤＳデータが重畳された放送信号を受信して受信信号の中から希望の放送局を選局して受信した音声信号を出力するチューナと、前記チューナが受信した信号に含まれるＲＤＳデータを復調するＲＤＳデコーダと、前記ＲＤＳデコーダが復調したＲＤＳデータに基づいて時計の調整を行う計時部と
、  前記経時部が行う時計の調整を制御する制御部とを備え、前記制御部は、受信したＲＤＳデータの中にＣＴデータを検出し、前記受信したＲＤＳデータの中に現在走行している国のＰＩコードが含まれると判定した場合、検出したＣＴデータに基づいて時計の調整を行うという構成を有する。
【発明の効果】
【００１０】
本発明によれば、ユーザの操作無しに時計の自動調整ができ、複数の国からの放送を受信可能な場合でも、走行している国のＣＴデータによって時計の自動調整を行うことができ、誤って他の国からのＣＴデータにより誤った時計の自動調整が行なわれてしまうことを防ぐことができる。
【図面の簡単な説明】
【００１１】
【図１】本発明の実施の形態１における時計の自動調整機能を内蔵したラジオ受信機の全体構成を示すのブロック図
【図２】本発明の実施の形態１におけるメモリ部に格納されるリストの一例を示す図
【図３】本発明の実施の形態１における時計の自動調整動作説明のためのフローチャート
【図４】本発明の実施の形態１における現在走行している国の設定と判定を示すフローチャート
【図５】本発明の実施の形態１における現在走行している国を判定するために用いる評価値算出表の一例を示す図
【発明を実施するための形態】
【００１２】
（実施の形態１）
以下、本発明の実施の形態１におけるＲＤＳ受信装置について図面を参照しながら説明する。
【００１３】
図１は、本発明の実施の形態における時計の自動調整機能を内蔵したＲＤＳ受信装置としてのラジオ受信機１００の全体構成を示すブロック図である。
【００１４】
ラジオ受信機１００は、第一のアンテナ１０、第二のアンテナ１１、第一のチューナ２０、第二のチューナ２１、パワーアンプ３０、スピーカ４０、第一のＲＤＳデコーダ５０、第二のＲＤＳデコーダ５１、受信制御部６０、表示部７０から構成される。
【００１５】
第一のアンテナ１０は、ＣＴデータを含むＲＤＳデータが重畳された放送信号を受信し後段の第一のチューナ２０に送出する。
【００１６】
第一のチューナ２０は、第一のアンテナ１０から送出された受信信号の中から希望の放送局を選局し、受信音声信号をパワーアンプ３０に出力する。
【００１７】
パワーアンプ３０は、前記受信音声信号を増幅し、スピーカ４０に出力する。
スピーカ４０は、パワーアンプ３０から入力される増幅された受信音声信号を音声として再生する。
【００１８】
第一のＲＤＳデコーダ５０は、第一のチューナ２０によって選局された受信信号の中からＣＴデータを含むＲＤＳデータの復号を行いデータ抽出し、受信制御部６０に出力する。
【００１９】
受信制御部６０は、ラジオ受信機１００の全体を制御する制御部としてのＣＰＵ（中央演算処理装置）であり、受信制御部６０に内蔵された内部クロックによって時刻を刻む。
【００２０】
また、受信制御部６０は、第一のＲＤＳデコーダ５０で復号されたＣＴデータを含むＲＤＳデータから時計の自動調整等を行う計時部としての時計部６１と、全周波数に対して、放送が行われている国や地域情報等を表すＰＩコード、電界等の情報のリストを格納するためのメモリ部６２を含む。
【００２１】
前述した様に、多くの国が隣接しているヨーロッパでは、ある国において他の国からの放送が容易に受信できるようになっており、各国間には時差があるため放送信号のＣＴデータに基づいて時計を自動調整することが必ずしも便利になるとは限らない。
【００２２】
そのため、現在走行している国を判断し、放送信号から得られるＣＴデータの取捨選択を行う必要がある。
【００２３】
従来のラジオ受信機では、現在走行している国の判断をユーザの受信機への手動により設定にしていた。しかし、それではユーザは国境を跨ぐ度に受信機に再設定する必要があり、操作が煩雑になる。
【００２４】
そこで、本実施の形態では、メモリ部６２に全周波数の放送が行われている国や地域情報等を表すＰＩコード、電界等の情報のリストをあらかじめ記憶しておき、その情報に基づいて時計部６１で自動的に現在走行している国を判断し、放送信号から得られるＣＴデータの取捨選択を行い、時計の自動調整が行われる様に受信機側が制御する。
【００２５】
時計の自動調整は放送信号からＣＴデータが得られた場合のみ行われ、それ以外の場合には内部クロックにより時刻が刻まれ、これを用いて時計の自動調整が行なわれる。
【００２６】
表示部７０は時刻を含む種々の情報データを表示するためのものであり、液晶ディスプレイなどの一般的な表示部品が用いられる。
【００２７】
第二のアンテナ１１、第二のチューナ２１、第二のＲＤＳデコーダ５１は、第一のアンテナ１０、第一のチューナ２０、第一のＲＤＳデコーダ５０のそれぞれと同様の機能を備える。
【００２８】
そして、現在音声を出力している放送局の周波数以外の全周波数に対して順にチューニング動作を行い、チューニングした周波数の放送が行われている国や地域情報等を表すＰＩコード、電界等の情報を取得し、メモリ部６２に格納するために使用される。
【００２９】
全周波数に対するチューニングは繰り返し行われる。メモリ部６２に格納されるリストは例えば図２に示されるものを用い、各々の周波数に対して、放送が行われている国や地域情報等を表すＰＩコード、電波状態を示す電界、最後にＰＩコードを取得してからの経過時間を示すタイマ値がそれぞれ対応付けられて格納される。
【００３０】
タイマ値は、ＰＩコードが取得できたタイミングで０にリセットされ、次にＰＩコードが取得されるまで内部クロックにより更新される。
【００３１】
以下、本実施例のＲＤＳ受信装置の時計の自動調整動作を図３を参照して説明する。図３はラジオ受信機１００の受信制御部６０が実行する処理動作を示すフロー図である。
【００３２】
まず、受信制御部６０は、現在、ラジオ受信機１００が音声出力している放送信号のＲＤＳ受信を行う（ステップＳ３０１）。
【００３３】
次に、ステップＳ３０１にて受信したＲＤＳデータからＣＴデータが検出されたか否かを判定を行う（ステップＳ３０２）。
【００３４】
ＣＴデータが検出された場合（ステップＳ３０２のＹｅｓ）はステップＳ３０３に進み、検出されなかった場合（ステップＳ３０２のＮｏ）はステップＳ３０１に戻る。
【００３５】
ステップＳ３０３では、ステップＳ３０１にて受信したＲＤＳデータに現在走行している国のＰＩコードが含まれるか否かを判定する。
【００３６】
ステップＳ３０３において、現在走行している国のＰＩコードが含まれていた場合（ステップ３０３のＹｅｓ）はステップＳ３０４に進みＣＴデータに基づいて時計の自動調整を行う。
【００３７】
ステップＳ３０３において、現在走行している国のＰＩコードが含まれていなかったと判断した場合（ステップ３０３のＮｏ）は、ステップＳ３０１に戻る。
【００３８】
ここで、図３のステップ３０３で具体的にどのような判定を行うか図４のフローチャートを参照して説明する。
【００３９】
まず、全周波数に対して、評価値を算出する（ステップＳ４０１）。評価値の算出には図５のような評価値表を用いる。
【００４０】
図５は、上述の評価表の一例を示す図である。図５に示すとおり、タイマー値が小さいほど評価値が高く、なおかつ、電界値が大きい（電界が強い）ほど評価値が高くなるよう、あらかじめ設定しておく。
【００４１】
このような電界の強さとタイマ値を評価値の算出に用いることにより、時々刻々と変化する受信環境に対応する。
【００４２】
ステップＳ４０１の後、ＰＩコード別のトータルの評価値を算出し（ステップＳ４０２）、算出した評価値が最大のＰＩコードを現在走行している国として設定する（ステップＳ４０３）。
【００４３】
ここで判定された現在走行している国のＰＩコードと受信信号のＰＩコードが一致するか否かの判定を行う（ステップＳ４０４）。
【００４４】
ＰＩコードが一致すれば、時計の自動調整を行い（図３のステップＳ３０４）、一致しなければＲＤＳ受信を行う（図３のステップＳ３０１）。
【００４５】
以上説明したとおり、本実施の形態によれば、現在走行している国をラジオ受信機が判断して設定を行うことで、ユーザーの操作無しに時計の自動調整ができ、複数の国からの放送を受信可能な場合でも、走行している国のＣＴデータによって時計の自動調整を行うことができ、誤って他の国からのＣＴデータにより時計の自動調整を行ってしまうことを防ぐことができる。
【産業上の利用可能性】
【００４６】
本発明のＲＤＳ受信装置は、ユーザーの操作無しに時計の自動調整を正確に行うことができ、放送信号および放送信号に多重化されたデータを受信してユーザに視聴させることが可能なＲＤＳ受信装置として有用である。
【符号の説明】
【００４７】
１０  第一のアンテナ
１１  第二のアンテナ
２０  第一のチューナ
２１  第二のチューナ
３０  パワーアンプ
４０  スピーカ
５０  第一のＲＤＳデコーダ
５１  第二のＲＤＳデコーダ
６０  受信制御部
６１  時計部
６２  メモリ部
７０  表示部
１００  ラジオ受信機
【図１】
2012205162.tif 000003
【図２】
2012205162.tif 000004
【図３】
2012205162.tif 000005
【図４】
2012205162.tif 000006
【図５】
2012205162.tif 000007